(57)【特許請求の範囲】
【請求項１】
合成樹脂製の雌雄咬合型チャックが、表裏の胴部フィルムよりなる合成樹脂製包装袋の開口部内側に対面して設けられている袋体において、
前記袋体内かつ前記表裏胴部フィルムの何れか一方の内側面かつ前記雌雄咬合型チャックの近傍であって当該チャックよりも開口部側と当該チャックよりも袋内側との二箇所には、前記チャック背面を指腹部で挟圧しつつその指腹部をチャック長手方向にスライドさせてチャック咬合する際に前記指腹部がチャック背面ラインから逸脱するのを阻止して前記指腹部をチャック背面ライン沿いに案内規制するという案内規制用の堰状帯が、当該チャックに平行するという平行条件と、咬合した当該チャックの厚みに相当するという厚み条件とを満足させて設けられているとともに、当該堰状帯と対面する前記他方の胴部フィルム内面側が平らなフィルム面を保持していること、および、
袋体内であって前記表裏胴部フィルム内側面にある前記チャックと前記一方の胴部フィルム内側面にある前記堰状帯との間には、前記チャックの背面を前記指腹部で挟圧したときに前記胴部フィルムの外面側から袋体内に向けて前記指腹部入り込み用の窪みを生じる空間が介在していること、および、
前記チャックの背面を前記指腹部で挟圧したときに、前記チャックと前記堰状帯との間の空間に生じる前記指腹部入り込み用の窪みについては、前記堰状帯側から前記チャック側に向けて下り勾配となる傾斜をともなうものであること
を特徴とする合成樹脂製チャック付の袋体。
【発明の詳細な説明】
【技術分野】
【０００１】
本発明は、袋の開口部に設けられている雌雄咬合型チャックの咬合を容易且つ確実にした合成樹脂製チャック付の袋体に関するものである。
【背景技術】
【０００２】
図６で例示するように表裏の胴部フィルム２ａ、２ｂよりなる合成樹脂製包装袋において、その開口部３の内側に雌雄咬合型のチャック５が設けられた合成樹脂製チャック付の袋体１（以下袋体という）は周知である。この袋体において、チャック５を咬合して開口部３を閉じるには、チャック５の背面を指腹部で挟圧しチャック５の長手方向にスライドする操作が一般的である。
【０００３】
しかし、チャック５の全幅に渡って指腹部でチャック５の背面を挟圧して指腹部を背面ラインに沿ってスライドする際に、例えば、手が水で濡れて滑り易い場合、指腹部がチャック５の背面ラインから逸脱してチャック５の咬合が不完全となる。この場合は指腹部がチャック５の背面ラインから逸脱した近辺のチャック５の背面位置を指腹部で再度挟圧してスライド操作をしている。
【０００４】
また、指腹部がチャック５の背面ラインから逸脱しないが、逸脱しそうになった場合は指腹部の位置をチャック５の背面に補正しながら、いわゆる蛇行を繰り返してチャック５を咬合している。
【０００５】
このように従来の合成樹脂製チャック付の袋体においては、いわゆるチャック掛けに問題があり、この問題はチャック５の全幅が長く、腰が弱い薄手の表裏の胴部フィルム２ａ、２ｂによる袋体において顕著であり、チャック掛けが容易且つ確実に行うようにすることが課題となっていた。
【特許文献１】特開平４−１５４５５８公報
【特許文献２】特開平６−１２２４６０公報
【発明の開示】
【発明が解決しようとする課題】
【０００６】
本発明は、指腹部がチャックの背面ラインから逸脱することなくチャックの咬合を容易且つ確実にした合成樹脂製チャック付の袋体を提供することである。
【課題を解決するための手段】
【０００７】
本発明に係る合成樹脂製チャック付の袋体は、上記の課題を解決するための手段として下記に記載の内容を特徴とするものである。すなわち、
合成樹脂製の雌雄咬合型チャックが、表裏の胴部フィルムよりなる合成樹脂製包装袋の開口部内側に対面して設けられている袋体において、
前記袋体内かつ前記表裏胴部フィルムの何れか一方の内側面かつ前記雌雄咬合型チャックの近傍であって当該チャックよりも開口部側と当該チャックよりも袋内側との二箇所には、前記チャック背面を指腹部で挟圧しつつその指腹部をチャック長手方向にスライドさせてチャック咬合する際に前記指腹部がチャック背面ラインから逸脱するのを阻止して前記指腹部をチャック背面ライン沿いに案内規制するという案内規制用の堰状帯が、当該チャックに平行するという平行条件と、咬合した当該チャックの厚みに相当するという厚み条件とを満足させて設けられているとともに、当該堰状帯と対面する前記他方の胴部フィルム内面側が平らなフィルム面を保持していること、および、
袋体内であって前記表裏胴部フィルム内側面にある前記チャックと前記一方の胴部フィルム内側面にある前記堰状帯との間には、前記チャックの背面を前記指腹部で挟圧したときに前記胴部フィルムの外面側から袋体内に向けて前記指腹部入り込み用の窪みを生じる空間が介在していること、および、
前記チャックの背面を前記指腹部で挟圧したときに、前記チャックと前記堰状帯との間の空間に生じる前記指腹部入り込み用の窪みについては、前記堰状帯側から前記チャック側に向けて下り勾配となる傾斜をともなうものであること
を特徴とする合成樹脂製チャック付の袋体。
【発明の効果】
【０００８】
本発明によると、チャックの背面を指先で挟圧した指腹部はチャックと平行に設けた堰状帯によってチャックの背面ラインから逸脱することを阻止しチャックの背面ラインに沿って案内規制されてスライドするため、いわゆるチャック掛けを容易且つ確実にした効果を有している。
【発明を実施するための最良の形態】
【０００９】
以下、本発明を実施するための最良の形態を図面に基づいて説明する。図１は本発明の基本的な事項を説明するための参考例を示すものであり、これは袋体を横向きにした状態の要部断面図である。図１において、１は合成樹脂製チャック付の袋体（以下袋体という）である。この袋体１は合成樹脂製の雌雄咬合型チャック５が表裏の胴部フィルム２ａ、２ｂよりなる合成樹脂製包装袋の開口部３の内側に対面して設けられている。尚、符号の４は袋内側を示す。
【００１０】
本発明の参考例は上記図１の袋体１において、前記チャック５の背面を指腹部で挟圧しチャック５の長手方向にスライドしてチャック５を咬合する際に、前記指腹部をチャック５の背面ラインから逸脱することを阻止しチャック５の背面ラインに沿って案内規制する堰状帯をチャック５の近傍にチャック５と平行に設けたことを特徴とするものである。
【００１１】
上記チャック５の背面を指腹部で挟圧しチャック５の長手方向にスライドしてチャック５を咬合する際に、前記指腹部をチャック５の背面ラインから逸脱することを阻止しチャック５の背面ラインに沿って案内規制する堰状帯をチャック５と平行に設けた具体的な実施例を説明する。図１で示すように、表裏の胴部フィルム２ａ、２ｂの内側面にチャック５を中央にして開口部３側と袋内側４に堰状帯６ａ、６ｂ、７ａ、７ｂを対面して設けた構造である。
【００１２】
上記堰状帯６ａ、６ｂ、７ａ、７ｂはチャック５の中心から６〜８ｍ／ｍ前後離間した位置に設けることが望ましい。また、堰状帯６ａ、６ｂ、７ａ、７ｂの断面形状は、チャック５の背面を挟圧した指腹部がチャック５の背面ラインからの逸脱を堰状帯６ａ、６ｂ、７ａ、７ｂで制止することが目的であるため、正方形、長方形、台形、円形、楕円形等が適当である。そして、この断面の面積は１〜２ｍｍ２前後が望ましい。さらに、対接した堰状帯６ａ、６ｂ、７ａ、７ｂの厚みは咬合したチャック５の厚み相当が適当である。
【００１３】
上記の構造よりなる本発明の参考例の作用効果について従来例を図示する図６と対比させて図２〜図４によって説明する。図６に示すように、従来、開口部３のチャック５を閉じる（咬合）ために、例えば、人差し指と親指の指腹部でチャック５の背面を挟圧しながらチャック５の雌雄爪を咬合させチャック５の長手方向に指腹部をチャック５と平行移動しながら連続的にスライドする必要がある。しかしながら、従来タイプの袋では、チャック５の背面に沿って指腹部をスライドさせても、咬合したチャック５の凸状構造と表裏の胴部フィルム２ａ、２ｂ表面のスリップ性のため、指腹部がチャック５の背面を上下方向に蛇行したり脱線したりして、チャック掛けをスムーズに行うことが難しかった。
【００１４】
そこで、この従来の問題を解決するため、本発明の参考例では、チャック５を中央にして上下に堰状帯６ａ、６ｂ、７ａ、７ｂを設けた。図３に示されるように、指先が小さく細いタイプの手では、チャック５の背面を人差し指と親指の指腹部で挟圧すると、指腹部はチャック５と堰状帯６ａ、６ｂ、７ａ、７ｂの全体を押圧することが困難である。この状態において指腹部をチャック５と平行移動する過程で指が上方に逃げた場合はチャック５と堰状帯６ａ、６ｂとの間の窪み８に入り込み、窪み８に入り込んだ指腹部はチャック５と堰状帯６ａ、６ｂに挟まれたままチャック５と平行移動してスライドすることになる。また、これとは逆に指が下方に逃げた場合も同様で指腹部が下方の窪み９に入り込みチャック５と堰状帯７ａ、７ｂに挟まれたままチャック５と平行移動してスライドする。すなわち、指腹部はチャック５の背面ラインから上方または下方に逸脱しようとしても堰状帯６ａ、６ｂ、７ａ、７ｂで阻止され、その結果、指腹部は窪み８または９によって案内規制され、チャック５の背面ラインに沿ってスライドしてチャック掛け（咬合）を容易かつ確実に行うことができる。
【００１５】
指先が大きな太いタイプの手では図４の参考例で示すように、チャック５の背面を指腹部で挟圧することによりチャック５を中央にしてチャック５と堰状帯６ａ、６ｂ、７ａ、７ｂとの間に窪み８、９ができてチャック５の背面を挟圧した指腹部の一部が窪み８、９に入り込むと共に、指腹部の他の一部が堰状帯６ａ、６ｂ、７ａ、７ｂを押さえる形となり、窪み８、９に入り込んだ指腹部の一部はチャック５と堰状帯６ａ、６ｂ、７ａ、７ｂとで挟まれて案内規制され、より一層に安定した状態で堰状帯６ａ、６ｂ、７ａ、７ｂによりチャック５の背面ラインからの逸脱を阻止し、チャック５の背面ラインに沿ってスライドしてチャック掛け（咬合）する。
【００１６】
上記の参考例は、表裏の胴部フィルム２ａ、２ｂの内側面にチャック５を中央にして開口部３側と袋内側４に堰状帯６ａ、６ｂ、７ａ、７ｂを対面して設けた構造であるが、開口部３側のみに堰状帯６ａ、６ｂを設けてもよいし、袋内側４のみに堰状帯７ａ、７ｂを設けてもよい。
【００１７】
さらに、他の実施例として図５で示すように、一つで形成した堰状帯６、７をチャック５を中央にして表裏の胴部フィルム２ａ、２ｂの何れか一方の開口部３側と袋内側４に設けてもよい。この図５に示すものが本発明の実施例である。また、開口部３側のみに堰状帯６を設けてもよいし、袋内側４のみに堰状帯７を設けてもよい。さらに、表裏の胴部フィルム２ａ、２ｂ何れか一方又は両方の外面に堰状帯６、７あるいは堰状帯６、７の何れか一方を設けてもチャック５の背面を挟圧した指腹部をチャック５の背面ラインからの逸脱を阻止し、チャック５の背面ラインに沿ってスライドしてチャック掛け（咬合）することができる。
【００１８】
また、堰状帯６ａ、６ｂ、７ａ、７ｂは単独で表裏の胴部フィルム２ａ、２ｂに熱溶着してもよいし、あるいはチャックテープ上あるいは別途テープ上に設けてもよい。
【００１９】
このように本発明は、チャック５の背面を指先で挟圧した指腹部はチャック５と平行に設けた堰状帯によってチャック５の背面ラインから逸脱することを阻止しチャック５の背面ラインに沿って案内規制されてスライドするため、チャック掛け（咬合）を容易且つ確実に行うことができ、従来の問題を解消した利点を有している。
【図面の簡単な説明】
【００２０】
【図１】本発明の参考例を示す要部断面図
【図２】本発明の参考例として、指先が小さく細いタイプの手でチャック掛け（咬合）状態を示す要部断面図
【図３】本発明の参考例として、指先が小さく細いタイプの手でチャック掛け（咬合）時に指先が開口部側に脱線しかかった状態を示す要部断面図
【図４】本発明の参考例として、指先が大きな太いタイプの手でチャック掛け（咬合）状態を示す要部断面図
【図５】本発明の実施例を示す要部断面図
【図６】従来の合成樹脂製チャック付の袋体におけるチャック掛け（咬合）状態を示す断面図
【符号の説明】
【００２１】
１    合成樹脂製チャック付の袋体
２ａ  表胴部フィルム
２ｂ  裏胴部フィルム
３    開口部
４    袋内側
５    チャック
６    堰状帯
６ａ  堰状帯
６ｂ  堰状帯
７    堰状帯
７ａ  堰状帯
７ｂ  堰状帯
８    窪み
９    窪み
【図１】
0005591985.tif 000002
【図２】
0005591985.tif 000003
【図３】
0005591985.tif 000004
【図４】
0005591985.tif 000005
【図５】
0005591985.tif 000006
【図６】
0005591985.tif 000007